(57)【要約】   【課題】屋根部材を軽量化し、屋根部材としてコンクリート製、金属製の屋根板を使用した場合に比べて支柱に高い強度が必要とされない屋根ユニットを提供する。  【解決手段】本発明の屋根ユニット１は、略鉛直方向に立設される棒状の支柱１０と、立設した支柱１０の上端部に取り付けられている袋状体であって、その内部に常圧以上で空気を入れた場合、支柱１０の長さ方向に対して略垂直な方向に膨らんで、屋根として使用することができる形状となる袋状体２０と、袋状体２０を膨らませるべく、この袋状体２０内に空気を送るファン３０と、を有する。  【選択図】  図１
2006132159.tif 000002
【特許請求の範囲】
【請求項１】
略鉛直方向に立設される棒状の支柱と、
立設した前記支柱の上端部に取り付けられている袋状体であって、その内部に常圧以上で空気を入れた場合、前記支柱の長さ方向に対して略垂直な方向に膨らんで、屋根として使用することができる形状となる袋状体と、
前記袋状体を膨らませるべく、前記袋状体内に空気を送る送気機構と、
を有する、
屋根ユニット。
【請求項２】
前記送気機構は、電源を外部から取るためのケーブルと接続されていると共に、前記支柱は、中空の棒状体とされ、前記ケーブルは、前記支柱の内部に通されている、
請求項１記載の屋根ユニット。
【請求項３】
前記支柱は、伸縮自在の棒状体である、
請求項１または２記載の屋根ユニット。
【請求項４】
前記屋根ユニットの不使用時に、少なくとも、縮めた状態の前記支柱、その内部から空気を抜いた状態の前記袋状体、および前記送気機構を収納できるようになっている箱状の収納部材を有しており、
前記収納部材の上面には、前記支柱の下端部を差し込んで固定できる程度の孔が設けられている、
請求項３記載の屋根ユニット。
【請求項５】
前記袋状体の内部には、光源が設けられており、
前記光源が点灯しているとき、前記袋状体の外側から、前記袋状体を通して前記光源からの光が見えるようになっている、
請求項１ないし４のいずれかの項記載の屋根ユニット。
【発明の詳細な説明】
【技術分野】
【０００１】
本発明は、屋根ユニットに関する。
【背景技術】
【０００２】
従来、海水浴場や屋外イベント会場、公園等に設置され、日差しが強い場合や雨が降ってきた際にこれらを避ける日よけ、雨よけになる屋根を備えた屋根ユニットが知られている。
この屋根ユニットは一般に、屋根となる屋根部材と、これを支える支柱と、を備えてなる。この屋根部材は、例えばコンクリート製、金属製の屋根板により構成されている。
【０００３】
しかし、これらの屋根部材にはかなりの重さがあるため、これを支える支柱にも相応した強度が必要とされていた。このため、強度の高い材料を使用したり、支柱の強度を上げるべく断面を厚く形成する必要があり、重量化を招いていた。また、このような屋根部材を使用した屋根ユニットは、ある場所に定着させて使用されると共にその形状も固定されるため、不使用時にも使用時と同じだけのスペースが必要とされていた。
【発明の開示】
【発明が解決しようとする課題】
【０００４】
本願発明はこのような事情に鑑みてなされたものであり、屋根部材を軽量化し、屋根部材としてコンクリート製、金属製の屋根板を使用した場合に比べて支柱に高い強度が必要とされない屋根ユニットを提供することをその課題とする。
【課題を解決するための手段】
【０００５】
本発明が提供する屋根ユニットは、略鉛直方向に立設される棒状の支柱と、立設した前記支柱の上端部に取り付けられている袋状体であって、その内部に常圧以上で空気を入れた場合、前記支柱の長さ方向に対して略垂直な方向に膨らんで、屋根として使用することができる形状となる袋状体と、前記袋状体を膨らませるべく、前記袋状体内に空気を送る送気機構と、を有する、屋根ユニットである。
この屋根ユニットは屋根部材として袋状体を使用するため、屋根部材として金属製の屋根板等を使用した場合に比べてその重さが軽く、支柱に必要とされる強度を低減させることができる。また、屋根ユニット全体を軽量化することができるため、不使用時に移動させ易くすることができる。また、屋根部材となる袋状体の内部から空気を抜くことによって小さくすることができるため、不使用時にコンパクト化することができ、嵩張らないようにすることができる。
【０００６】
この屋根ユニットの支柱は、略鉛直方向に立設される棒状のものであれば、どのようなものであっても構わない。
この支柱は、例えば中空の棒状体とすることができる。このように構成すれば、前記送気機構が電源を外部から取るためのケーブルと接続されている場合、このケーブルをその内部に通すことができるようになり、支柱を送気機構等の配線ダクトとしても使用することができるようになる。
このような支柱は、伸縮自在の棒状体とすることができる。こうすれば、屋根部材である袋状体の高さを使用される場所等に応じて適宜調整することができると共に、不使用時に縮めることでコンパクト化でき、嵩張らないようにすることができる。このような伸縮自在の棒状体としては、例えばテレスコピック構造の管である伸縮管を用いてもよいし、複数の棒状体がヒンジで接続されている折り畳み式のものを用いてもよい。なお、内部が中空となっている伸縮自在の棒状体としてもよい。
【０００７】
この屋根ユニットの袋状体は、立設した支柱の上端部に取り付けられている袋状体であって、その内部に常圧以上で空気を入れた場合、支柱の長さ方向に対して略垂直な方向に膨らんで、屋根として使用することができる形状となるものであればよい。例えば、半楕円形をその短軸を軸として回転させてできる形状の袋状体を使用してもよい。
この袋状体の支柱への取り付けは、例えば袋状体に予め支柱の上端部を差し込んで固定できる程度の孔を設けておき、この孔に支柱の上端部を差し込んで固定することによって取り付けてもよい。
この袋状体の内部は単なる空洞としてもよいが、そこに光源を設けることもできる。そしてその光源が点灯しているとき、前記袋状体の外側から、前記袋状体を通して前記光源からの光が見えるようにすることができる。このようにすれば、本発明の屋根ユニットは、日よけ、雨よけになる屋根として使用できるだけでなく、光源を点灯することにより野外灯としても使用できるようになる。
光源はどのようなものでも構わない。例えば光源として、水銀ランプを使用してもよい。この場合、この光源を点灯させるか消灯させるかを制御する制御手段を設ける。この制御手段は、袋状体の内側に設けてもよいし、その外側に設けてもよい。
また、光源として、点灯時の色を変化させられるようなものとしてもよい。こうすれば、このような光源を備える袋状体を見る者に楽しさを与えることができる。この場合、この光源を点灯させるか消灯させるかに加えて、光源の点灯時の色をどのようなものにするかをも制御する制御手段を設ける。
【０００８】
この屋根ユニットの送気機構は、袋状体の内部に空気を送ることができるようなものであればよい。例えば、袋状体の任意の位置に設けられた孔からその内部に空気を送り込むようになっているシロッコファンを使用してもよい。
支柱が中空の棒状体である場合、上述のようにこれを配線ダクトとして使用することができるので、この送気機構はこの支柱の内部に固定するようにしてもよいし、袋状体の内部に固定するようにしてもよい。こうすれば、袋状体に設けられた袋状体を支柱に取り付けるための孔と同一の孔を使用して空気を袋状体の内部に送り込むことができるため、別個に送気機構を袋状体に取り付ける必要がなく、作業負担を軽減することができる。
【０００９】
このような屋根ユニットは、屋根ユニットの不使用時に、少なくとも、縮めた状態の支柱、その内部から空気を抜いた状態の袋状体、および送気機構を収納できるようになっている箱状の収納部材をさらに有していてもよい。この収納部材の上面には、支柱の下端部を差し込んで固定できる程度の孔が設けられている。
このような収納部材を有していれば、屋根ユニットを構成する部材を不使用時に収納しておくことができるので、屋根ユニットの管理が容易になる。また、この収納部材は、収納部材の上面に支柱の下端部を差し込んで固定できる程度の孔が設けられているので、この孔に支柱の下端部を差し込んで固定することにより、支柱を略鉛直方向に支えることができる。
このような収納部材は、屋根ユニットの不使用時に、縮めた状態の支柱、その内部から空気を抜いた状態の袋状体、および送気機構を収納できるようになっている箱状の収納部材であって、収納部材の上面に支柱の下端部を差し込んで固定できる程度の孔が設けられているものであればよく、その形状、材質等はどのようなものを用いてもよい。
なお、この収納部材をキャスタ付きのものとすれば、さらに屋根ユニットの持ち運びが容易になる。
また、前記屋根ユニットの使用時に、前記収納部材の内部に転倒防止用の重しを入れてもよい。こうすれば、支柱をより安定的に支えることができる。
この収納部材は、その上に人が座れるような形状としてもよい。
【発明の効果】
【００１０】
本発明の屋根ユニットによれば、屋根部材として袋状体を使用するため、屋根部材として金属製の屋根板等を使用した場合に比べてその重さが軽く、支柱に必要とされる強度を低減させることができる。
【発明を実施するための最良の形態】
【００１１】
以下、本発明の好ましい一実施形態を、図面を参照しながら説明する。
【００１２】
図１に本実施形態による屋根ユニット１の、使用時における側断面図を、図２に同平面図を示す。
この屋根ユニット１は、支柱１０と、袋状体２０と、ファン３０と、ランプ４０と、収納ケース５０と、を有している。
【００１３】
支柱１０は、略鉛直方向に立設される部材である。この支柱１０は、本実施形態ではテレスコピック構造の中空の棒状体であり、伸縮可能となっている。より詳細には、支柱１０は、上に向かって細くなるようなテーパーの与えられた中空な管であり、下の管ほど太くなっているものを複数接続して構成されている。この支柱１０は、後述する袋状体２０を支持できる強度を有するように構成されており、不使用時には縮めることができると共に、使用時には適宜所望の長さに延ばして使用できるようになっている。この長さの調整は、本実施形態では手動で調整するものとして記載するが、自動で調整できるように構成することもできる。
この支柱１０は、後述するように、収納ケース５０の孔５０ａにその下端部を差し込んで立設するようになっている。この支柱１０の下端部側の所定の位置には、その長さ方向に対して略垂直な方向に貫通孔１０ａが設けられている。この貫通孔１０ａは、後述するストッパ５３を貫通させるための孔であり、収納ケース５０の孔５０ａにその下端部を差し込んで立設させた際、貫通させたストッパ５３が収納ケース５０の蓋となる面上に位置するように設けられている。
また、この支柱１０は、内部が中空の棒状体であるので、後述のケーブルをその内部に通すことができ、配線ダクトとして使用することができる。
この実施形態では、支柱１０は以上のようなものとして記載するが、略鉛直方向に立設される棒状のものであれば、どのようなものを用いてもよい。本実施形態のように伸縮可能となっているものとすれば、屋根部材である袋状体の高さを使用される場所等に応じて適宜調整することができると共に、不使用時に縮めることでコンパクト化でき、嵩張らないようにすることができる。このように伸縮可能な支柱は、本実施形態の支柱１０の代わりに複数の棒状体がヒンジで接続されている折り畳み式のものを用いて構成してもよい。なお、支柱は伸縮しないようなものであっても構わない。
この支柱１０の上端近くの周縁部には、金属製のリング１１が固着されている。リング１１は、後述するように、袋状体２０をこれを介して間接的に支柱１０に取り付けるための部材であると共に、ファン３０を載置する土台として使用される。
このリング１１は、支柱１０の上端部の断面積よりも多少大きい円形の孔１１ａがその中心に設けられた金属製の部材であり、この孔１１ａに支柱１０の上端部を貫通した状態で固着されている。このリング１１と支柱１０は、図１、図３に示すように、リング１１の内側の周縁から延びた複数の金属片１１Ａにより、両者が同心円状に位置するような状態で固着されている。
【００１４】
袋状体２０は、立設した支柱１０の上端部に取り付けられているものであり、その内部に常圧以上で空気を入れた場合、支柱１０の長さ方向に対して略垂直な方向に膨らんで、屋根として使用することができる形状とされた部材である。
この袋状体２０はその内部に常圧以上で空気を入れた場合、図１および図２に記載するように、半楕円形をその短軸を軸として回転させてできる形状の袋状体とされている。
この袋状体２０は、開口部２０ａを有している。この開口部２０ａは、膨らませた状態の袋状体２０を下から見た場合の略中心となる位置に設けられている。この開口部２０ａは、リング１１の孔１１ａと同じくらいの形、大きさのものであり、孔１１ａと開口部２０ａを一致させるようにして、リング１１の下面に袋状体２０が貼り付けられている。このようにして、袋状体２０は、支柱１０に取り付けられている。
この袋状体２０は、本実施形態では、空気を通さない素材により構成されている。
また、この袋状体２０には、袋状体２０の内部の空気を袋状体２０の外部に排出するための排気孔２０ｂが２つ設けられている。
この実施形態では、袋状体２０は以上のようなものとして記載するが、立設した支柱１０の上端部に取り付けて用いられるものであり、支柱１０の上端部に取り付けた状態でその内部に常圧以上で空気を入れた場合、支柱１０の長さ方向に対して略垂直な方向に膨らんで、屋根として使用することができる形状とされていればどのようなものでもよく、例えばキノコの笠のような形状としてもよい。
【００１５】
ファン３０は、袋状体２０内に空気を送るものであり、本実施形態ではリング１１上に取り付けられており、袋状体２０の内部に位置するようになっている。このファン３０としては、例えばシロッコファンを使用することができる。なお、このファン３０は、電源を外部から取るための図示しないケーブルと、空気の送り込みの開始、停止を制御する信号を外部から受け取るための図示しないケーブルと接続されている。これらのケーブルは、支柱１０の上端部からその内部を通じて下端部側へと導かれ、所定の位置に設けられた図示しない孔から外部の電源および空気の送り込みの開始、停止を制御するファン用スイッチへと導かれるようになっている。
なお、ファン３０は袋状体２０内に空気を送ることができるようになっていれば、以上のような構成に限られず、どこに取り付けられていてもよい。
【００１６】
このファン３０の上側には、ランプ４０が取り付けられており、袋状体２０の内部に位置するようになっている。このランプ４０としては、例えば水銀ランプを使用することができる。なお、このランプ４０は、電源を外部から取るための図示しないケーブルと、それが点灯する、点灯しないを制御する信号を外部から受け取るための図示しないケーブルと接続されている。これらのケーブルは、ファン３０のケーブルと同様、支柱１０の上端部からその内部を通じて下端部側へと導かれ、所定の位置に設けられた図示しない孔から外部の電源およびランプの点灯を制御するランプ用スイッチへと導かれるようになっている。
本実施形態では、ランプ４０は水銀ランプであるものとして記載するが、これに限られず、点灯時の色を変化させられるようになっている光源としてもよい。例えば、複数の色の小さな発光素子を多数備えたＬＥＤであり、適当な制御を行うことで、複数の任意の光を放出することができるようにしてもよい。こうすれば、このようなランプ４０を備える袋状体２０を見る者に楽しさを与えることができる。
以上のランプ４０は、本発明の屋根ユニット１に必須のものではないが、このようなランプ４０が設けられた屋根ユニット１は、日よけ、雨よけになる屋根として使用できるだけでなく、ランプ４０を点灯することにより、袋状体２０の外側から、この袋状体２０を通してランプ４０からの光が見えるようになり、野外灯としても使用できるようになる。
【００１７】
収納ケース５０は、屋根ユニット１の不使用時に、少なくとも、縮めた状態の支柱１０、その内部から空気を抜いた状態の袋状体２０（袋状体２０内部のファン３０およびランプ４０を含む。）を収納できるようになっている箱状の部材である。
この収納ケース５０は、図１に示すように、本実施形態では直方体型の箱部材であり、その蓋となる面の略中央に、孔５０ａが設けられている。この孔５０ａは、支柱１０の下端部の断面形状よりもひとまわり大きく、支柱１０の下端部をこの孔５０ａに差し込むことができるようになっている。
また、蓋となる面の下面には、孔５０ａの周りを補強するための部材である金属製のリング５２が、孔５０ａを取り囲むように固着されている。このリング５２は、孔５０ａと略同一形状の孔５２ａがその中心に設けられた金属製の部材であり、孔５０ａと孔５２ａが重なるような位置に固着されている。
また、収納ケース５０の底面の上面には、その略中央に、金属製のプレート５１が固定されている。このプレート５１は、図４に示すように、その略中央に孔５１ａが設けられている断面正方形のプレートである。この孔５１ａは、孔５０ａと同様、支柱１０の下端部の断面積よりも僅かに大きく構成されており、孔５１ａと孔５０ａは、同一軸線上に位置するようになっている。このプレート５１は、孔５０ａに支柱１０を差し込んで立設する際、支柱１０の下端をこの孔５１ａにも差し込むことによって支柱１０を安定的に立設するためのベースプレートである。
本実施形態の収納ケース５０の底面の下面には、４つのロック付キャスタ５５が取り付けられており、屋根ユニット１の移動が容易なものとなっている。また、このキャスタ５５をロックすることにより、その位置を固定することができるようになる。
本実施形態では、収納ケース５０は以上のようなものとして記載するが、これに限られず、屋根ユニット１の不使用時に、少なくとも、縮めた状態の支柱１０、その内部から空気を抜いた状態の袋状体２０（袋状体２０内部のファン３０、ランプ４０を含む。）を収納できるようになっていればよい。
以上の収納ケース５０は、本発明の屋根ユニット１に必須のものではないが、このような収納ケース５０を備える屋根ユニット１は、屋根ユニット１を構成する部材を不使用時に収納しておくことができるので、屋根ユニット１の管理が容易になる。また、この収納ケース５０には孔５０ａが設けられているので、この孔５０ａに支柱１０の下端部を差し込んで固定することにより、支柱１０を略鉛直方向に支えることができる。
【００１８】
また本実施形態の屋根ユニット１は、ストッパ５３を有している。このストッパ５３は、孔５０ａおよび孔５１ａに差し込んだ状態の支柱１０の貫通孔１０ａにこれを貫通させて取り付けることで、支柱１０をより安定的に立設するためのものである。
このストッパ５３は、金属製の棒状の部材であり、貫通孔１０ａからストッパ５３が抜け落ちることを防止するために、一端側が直角に折り曲げられている。
ストッパ５３の支柱１０への取り付けは、ストッパ５３の折り曲げられていない直線部分を、貫通孔１０ａに貫通させればよい。この際、貫通させたストッパ５３の端にピン５４を取り付け、貫通孔１０ａから抜け落ちないようにする。ピン５４は、ストッパ５３の折り曲げられていない直線部分の一端に取り付けることにより、ストッパ５３が貫通孔１０ａから抜け落ちることを防止することができるようなものであればよい。このようにしてストッパ５３を支柱１０に取り付けた状態を、図５に示す。
【００１９】
以上のような構成の屋根ユニット１は、以下のようにして使用する。
袋状体２０が取り付けられている支柱１０およびストッパ５３を収納ケース５０から取り出し、支柱１０の長さを所望の長さに調整する。支柱１０の下端部を収納ケース５０の孔５０ａ、５１ａに差し込み、支柱１０を立設させる。それから立設させた支柱１０の貫通孔１０ａに、上述のようにしてストッパ５３を取り付ける。
なお、支柱１０等を収納ケース５０から取り出した際、収納ケース５０の内部に転倒防止用の重しを入れてもよい。こうすれば、支柱１０をより安定的に支えることができる。
【００２０】
以上のような作業が完了したら、屋根ユニット１の操作者は、ファン用スイッチを操作し、袋状体２０内への空気の送り込みを開始する。空気の送り込みを開始して所定の時間経過すると、袋状体２０が支柱１０の長さ方向に対して略垂直な方向に膨らみ、これを屋根として使用できるようになる。
なお、ファン３０により袋状体２０の内部に送り込まれた空気は、排気孔２０ｂから徐々に袋状体２０の外部に排出されるが、ファン３０により袋状体２０の内部に送り込まれる空気の量の方が排気孔２０ｂから袋状体２０の外部に排出される空気の量よりも格段に多く、ファン３０を稼働させている間は袋状体２０を膨らませた状態を維持することができる。
【００２１】
また、屋根ユニット１の操作者は、ランプ用スイッチを操作し、必要に応じてランプ４０を点灯させたり消灯させたりすることができる。ランプ４０を点灯させれば、袋状体２０を屋根として使用できるのみならず、野外灯として使用できるようになる。
【００２２】
以上のようにして屋根ユニット１を使用する際、収納ケース５０をベンチとして使用してもよい。このように収納ケース５０をベンチとして使用する際の収納ケース５０は、高さ４０ｃｍ程度に構成することができる。
また、図６のように、このような屋根ユニット１の全体を被覆できる程度の大きさのシート６０を屋根ユニット１に被せてもよい。このシート６０は、例えばＵＶカット加工されていてもよいし、防水加工されていてもよい。このようなシート６０を屋根ユニット１に被せれば、日よけ、雨よけとしての効果をさらに向上させることができる。なお、このようなシート６０は、不使用時には他の部材と共に収納ケース５０に収納することができる。
【００２３】
屋根ユニット１の使用を終えた場合には、ファン用スイッチを操作することによって袋状体２０内への空気の送り込みを停止させる。このようにしてファン３０の稼働を停止すると、袋状体２０の内部にある空気は排気孔２０ｂから袋状体２０の外部に排出され、袋状体２０は徐々にしぼんでいく。また、ランプ４０を点灯させている場合には、ランプ用スイッチを操作することによってランプ４０を消灯させる。
それから支柱１０を縮めて、ストッパ５３を支柱１０から取り外し、支柱１０およびストッパ５３を収納ケース５０に収納する。
【図面の簡単な説明】
【００２４】
【図１】本実施形態の屋根ユニットを示す側断面図。
【図２】図１に示した屋根ユニットの上平面図。
【図３】リングを支柱に取り付けた状態を示す図。
【図４】プレートを示す斜視図。
【図５】支柱にストッパを取り付けた状態を示す断面図。
【図６】本実施形態の屋根ユニットにシートを被せた状態を示す側断面図。
【符号の説明】
【００２５】
１  屋根ユニット
１０  支柱
１０ａ  貫通孔
１１、５２  リング
１１Ａ  金属片
１１ａ、５０ａ、５１ａ、５２ａ  孔
２０  袋状体
２０ａ  開口部
２０ｂ  排気孔
３０  ファン
４０  ランプ
５０  収納ケース
５１  プレート
５３  ストッパ
５４  ピン
５５  キャスタ
６０  シート
【図１】
2006132159.tif 000003
【図２】
2006132159.tif 000004
【図３】
2006132159.tif 000005
【図４】
2006132159.tif 000006
【図５】
2006132159.tif 000007
【図６】
2006132159.tif 000008